(57)【要約】【課題】情報をより容易に取得でき、かつメモリの消費を抑えた通信システム、通信方法及び携帯端末を提供すること。【解決手段】本発明にかかる通信システムは、携帯端末と、携帯端末にネットワークを介して接続されたサーバとを有する。サーバは、携帯端末上で再生するためのコンテンツデータを含むデータ本体と、付加データとを記憶する記憶部を有する。携帯端末は、サーバにアクセスし、データ本体及び付加データとを取得するサーバ用通信部と、付加データを記憶する付加データ記憶部と、コンテンツデータを再生する再生表示部と、付加データを取得している他の通信端末と通信を行い、当該他の通信端末から付加データを取得する端末用通信部とを有する。サーバ用通信部は、端末用通信部が他の端末からの付加データを取得すると、付加データに基づいてサーバにアクセスし、サーバからデータ本体を取得する。【選択図】図１
2012093823.tif 000002
【特許請求の範囲】
【請求項１】
携帯端末と、
前記携帯端末にネットワークを介して接続されたサーバとを有する通信システムであって、
前記サーバは、前記携帯端末上で再生するためのコンテンツデータを含むデータ本体と、前記データ本体を識別するための情報であるデータ識別情報及び前記サーバ上で前記データ本体が保存された場所を示す情報である保存場所情報を有する付加データとを記憶する記憶部を有し、
前記携帯端末は、
前記サーバにアクセスし、前記データ本体及び前記付加データとを取得するサーバ用通信部と、
前記付加データを記憶する付加データ記憶部と、
コンテンツデータを再生する再生表示部と、
前記付加データを取得している他の通信端末と通信を行い、当該他の通信端末から前記付加データを取得する端末用通信部とを有し、
前記サーバ用通信部は、前記端末用通信部が前記他の端末からの前記付加データを取得すると、前記付加データに基づいて前記サーバにアクセスし、前記サーバから前記データ本体を取得し、
前記再生表示部は、前記サーバから取得した前記データ本体がコンテンツデータである場合、これを再生する通信システム。
【請求項２】
前記データ本体は、前記コンテンツデータに加えて、又は前記コンテンツデータに替えて携帯端末で使用する各種情報を有し、
前記付加データは、前記データ本体を識別するための情報であるデータ識別情報及び前記サーバ上で前記データ本体が保存された場所を示す情報である保存場所情報を有し、
前記表示再生部は、前記データ本体の再生又は表示を行う請求項１記載の通信システム。
【請求項３】
データ管理部を更に有し、
前記データ管理部は、前記再生表示部が前記端末用通信部を介して取得した付加データに基づき取得した前記データ本体を再生又は表示した後、当該データ本体を消去する請求項２記載の通信システム。
【請求項４】
前記サーバは、さらに前記データ本体の見本となるサンプルデータを記憶し、
前記付加データは、前記データ本体及び前記サンプルデータを識別するための前記データ識別情報及びサーバ上で保存された場所を示す前記保存場所情報を有し、
前記サーバ用通信部は、前記付加データに基づき、前記データ本体又は前記サンプルデータのうち１以上を取得し、
前記再生表示部は、前記サーバから取得した前記データ本体又は前記サンプルデータの再生又は表示を行い、
前記データ管理部は、前記再生表示部が前記端末用通信部を介して取得した付加データに基づき取得した前記データ本体又は前記サンプルデータを再生又は表示した後、当該再生又は表示された前記データ本体又は前記サンプルデータを消去する請求項２又は３記載の通信システム。
【請求項５】
前記端末用通信部が前記付加データを取得した後に、前記データ管理部は、取得した付加データと、前記付加データ記憶部に記憶された前記付加データとを照合し、前記端末用通信部が取得した付加データと同一の前記付加データが前記付加データ記憶部に記憶されていた場合、
前記サーバ用通信部は、新たに取得した付加データに対応する前記データ本体又は前記サンプルデータを取得しない請求項４記載の通信システム。
【請求項６】
前記付加データは、前記データ本体又は前記サンプルデータを識別するための情報である前記データ識別情報と、前記サーバ上で前記データ本体又は前記サンプルデータが保存された場所を示す前記保存場所情報と、前記データ本体又は前記サンプルデータのカテゴリーを示す情報であるカテゴリー情報とを有する請求項４又は５記載の通信システム。
【請求項７】
前記データ管理部は、前記カテゴリー情報に基づき、取得した前記付加データのカテゴリーを識別し、
前記サーバ用通信部は、取得した前記付加データに対応する前記データ本体又はサンプルデータのうち、予め定められたカテゴリーの前記データ本体又は前記サンプルデータのみ取得する請求項６記載の通信システム。
【請求項８】
前記サーバは、前記サーバ用通信部が取得する前記データ本体又は前記サンプルデータに特定のサーバを識別するための識別情報であるサーバ識別情報を付加し、
前記データ管理部は、前記サーバ識別情報が付加された前記データ本体又は前記サンプルデータのみ、前記再生表示部が再生した後に消去する請求項４乃至７記載の通信システム。
【請求項９】
携帯端末と、
前記携帯端末にネットワークを介して接続されたサーバとを有する通信システムの通信方法であって、
前記サーバは、前記携帯端末上で再生するためのコンテンツデータを含むデータ本体と、前記データ本体を識別するための情報であるデータ識別情報及び前記サーバ上で前記データ本体が保存された場所を示す情報である保存場所情報を有する付加データと記憶し、
前記携帯端末は、前記サーバから前記付加データ及びデータ本体を取得可能であって、
前記付加データを取得している他の通信端末と通信を行い、当該他の通信端末から、前記付加データを取得し、
当該取得した付加データに基づいて前記サーバにアクセスし、前記サーバから前記データ本体を取得し、
前記サーバから取得した前記データ本体がコンテンツデータである場合、これを再生する通信方法。
【請求項１０】
サーバにアクセスし、携帯端末上で再生するためのコンテンツデータを含むデータ本体及び前記データ本体を識別するための情報である付加データとを取得するサーバ用通信部と、
前記付加データを記憶する付加データ記憶部と、
コンテンツデータを再生する再生表示部と、
前記付加データを取得している他の通信端末と通信を行い、当該他の通信端末から前記付加データを取得する端末用通信部とを有し、
前記サーバ用通信部は、前記端末用通信部が前記付加データを取得すると、前記付加データに基づいて前記サーバにアクセスし、前記サーバから前記データ本体を取得し、
前記再生表示部は、前記サーバから取得した前記データ本体がコンテンツデータである場合、これを再生する携帯端末。
【発明の詳細な説明】
【技術分野】
【０００１】
本発明は通信システム、通信方法及び携帯端末に関し、特に情報を共有する通信システム、通信方法及び携帯端末に関する。
【背景技術】
【０００２】
情報社会の進化に伴い、個人が取得できる情報が増加し、また、モバイル端末内で扱える情報も増加した。情報社会の進化は、ユーザが膨大な情報を取得することを可能としたが、ユーザが意図した情報を膨大な情報から収集することは逆に難しくなりつつあり、ユーザが情報を処理しきれていない。
【０００３】
さらに今日では、ブログや動画サイトなどの普及から、世間で話題となっている情報や、他者がどんな情報を所有しているかを気にかけるユーザが増えている。またブログや動画サイトなどの普及により、個人の情報をインターネット上に公開し、他者と共有しようとする志向も高い。そして、これらの個人が公開した情報を閲覧して楽しむユーザも多い。
【０００４】
従って、自動的に他者の情報を取得し、使用することの需要は高いといえる。しかし、他者の情報を効率的に取得し、利用することは難しいという課題があった。
【０００５】
特許文献１には、通りすがりの人の身につけている装飾品の情報を提供する商品紹介方法、携帯端末、及び商品紹介プログラムに関する技術が記載されている。特許文献１に記載の技術では、利用者が利用者携帯端末を用いて、紹介者の携帯端末に情報要求を送信する。紹介者携帯端末は、ＩＣタグ１００から商品識別子データを取得し、利用者携帯端末に送信する。更に、利用者携帯端末は商品管理サーバを介して詳細情報の取得を行う。利用者が商品の購入を行う場合には、取得した商品案内を商店に提示する。商品が購入された情報を商品管理サーバが受け取った場合、紹介ポイント管理サーバにポイント数と暗号化した紹介者識別子を送信する。紹介ポイントの管理サーバは、紹介者識別子を復号し、利用者のポイントを更新、記録する。
【０００６】
特許文献２には、通りすがりの人が着用している商品の商品情報を取得し、また、自分の着ているものについて他人からの評価を得ることができる技術が記載されている。特許文献２に記載の技術では、第１の端末装置と第２の端末装置とに近距離通信を行う、近距離通信が確立された場合、第１の端末装置は第２の端末装置に対し、商品の情報の送信を要求する送信要求情報送信手段と、送信要求に対し送られてきた商品情報を受信する商品情報受信手段とを備えている。第２の端末装置は、第１の端末装置からの送信要求を受信する送信要求受信手段と、送信要求情報に応じて、商品情報をネットワークを介してサーバから取得する商品情報取得手段と、取得された商品情報を第１の端末装置に送信する商品情報送信手段とを備えている。サーバは、第１の端末装置から第２の端末装置への商品情報の送信回数に基づくユーザのランキング決定手段を有し、当該ランキングを端末装置に提供するランキング提供手段を備えている。
【０００７】
特許文献３には、情報処理装置及び方法、並びに、情報処理システムに関する技術が記載されている。特許文献３に記載の技術では、携帯電話機Ａのユーザは、近接された携帯電話機Ｂより取得した音楽データのプレイリストを用いて、音楽データに含まれる楽曲を音楽販売サーバに要求する。音楽販売サーバは、課金処理を行うと共に、要求された楽曲の音楽データを携帯電話機Ａに送信する。携帯電話機Ａは、その音楽データを取得し、自分自身に属する音楽データとして記憶し、さらに時便自身に属するプレイリストを更新する。さらに携帯電話機Ａは、楽曲を購入した旨を、携帯電話機Ｂに通知する。携帯電話機Ｂは、この通知に基づいて、携帯電話機Ａから取得したプレイリストを更新する等の処理を行う。
【０００８】
特許文献４には、他のユーザと試用コンテンツを交換する携帯電話端末、試用コンテンツデータ交換システム、及び試用コンテンツデータ交換方法に関する技術が記載されている。特許文献４に記載の技術では、携帯電話端末がネットワークを介して、コンテンツデータと試用コンテンツデータとを配信するサーバに接続し、当該コンテンツデータ及び試用コンテンツデータを取得して記憶する。そして、携帯電話端末は、他の携帯電話端末とピアツーピア通信により通信し、ピアツーピア通信により他の携帯電話端末と試用コンテンツデータを交換する。
【先行技術文献】
【特許文献】
【０００９】
【特許文献１】特開２００６−３０９３４２号公報
【特許文献２】特開２００６−３３０８４４号公報
【特許文献３】特開２００９−４４３７４号公報
【特許文献４】特開２００８−３９８１号公報
【発明の概要】
【発明が解決しようとする課題】
【００１０】
しかしながら特許文献１乃至３に記載の技術では、商品等の情報を取得するために、商品の登録等、ユーザが携帯端末の操作をしなければならず、情報の取得のための操作が煩雑であるという問題があった。
【００１１】
また、特許文献４に記載の技術では、携帯端末が、試用コンテンツデータを取得し、かつ保持していなければならないので、試用コンテンツデータ保存のためにメモリを消費するという問題があった。
【００１２】
本発明は、このような問題を解決するためになされたものであり、情報をより容易に取得でき、かつメモリの消費を抑えた通信システム、通信方法及び携帯端末を提供することを目的とする。
【課題を解決するための手段】
【００１３】
本発明にかかる通信システムは、携帯端末と、携帯端末にネットワークを介して接続されたサーバとを有する通信システムである。サーバは、携帯端末上で再生するためのコンテンツデータを含むデータ本体と、データ本体を識別するための情報であるデータ識別情報及びサーバ上でデータ本体が保存された場所を示す情報である保存場所情報を有する付加データとを記憶する記憶部を有する。携帯端末は、サーバにアクセスし、データ本体及び付加データとを取得するサーバ用通信部と、付加データを記憶する付加データ記憶部と、コンテンツデータを再生する再生表示部と、付加データを取得している他の通信端末と通信を行い、当該他の通信端末から付加データを取得する端末用通信部とを有する。サーバ用通信部は、端末用通信部が他の端末からの付加データを取得すると、付加データに基づいてサーバにアクセスし、サーバからデータ本体を取得し、再生表示部は、サーバから取得したデータ本体がコンテンツデータである場合、これを再生するものである。
【００１４】
本発明にかかる通信方法は、携帯端末と、携帯端末にネットワークを介して接続されたサーバとを有する通信システムの通信方法である。サーバは、携帯端末上で再生するためのコンテンツデータを含むデータ本体と、データ本体を識別するための情報であるデータ識別情報及びサーバ上でデータ本体が保存された場所を示す情報である保存場所情報を有する付加データと記憶する。携帯端末は、サーバから付加データ及びデータ本体を取得可能であって、付加データを取得している他の通信端末と通信を行い、当該他の通信端末から、付加データを取得し、当該取得した付加データに基づいてサーバにアクセスし、サーバからデータ本体を取得し、サーバから取得したデータ本体がコンテンツデータである場合、これを再生するものである。
【００１５】
本発明にかかる通信端末は、サーバにアクセスし、携帯端末上で再生するためのコンテンツデータを含むデータ本体及びデータ本体を識別するための情報である付加データとを取得するサーバ用通信部と、付加データを記憶する付加データ記憶部と、コンテンツデータを再生する再生表示部と、付加データを取得している他の通信端末と通信を行い、当該他の通信端末から付加データを取得する端末用通信部とを有する。サーバ用通信部は、端末用通信部が付加データを取得すると、付加データに基づいてサーバにアクセスし、サーバからデータ本体を取得する。再生表示部は、サーバから取得したデータ本体がコンテンツデータである場合、これを再生するものである。
【発明の効果】
【００１６】
本発明によれば、情報をより容易に収集でき、かつメモリの消費を抑えた通信システム、通信方法及び携帯端末を提供することができる。
【図面の簡単な説明】
【００１７】
【図１】実施の形態１にかかる通信システムを示す図である。
【図２】実施の形態１にかかる通信システムの詳細を示す図である。
【図３】実施の形態１にかかる付加データ２３を示す図である。
【図４】実施の形態１にかかる通信システムを説明するための図である。
【発明を実施するための形態】
【００１８】
実施の形態１
以下、図面を参照して本発明の実施の形態について説明する。図１は、本実施の形態にかかる通信システムを示す図である。本実施の形態にかかる携帯端末１と、携帯端末１にネットワークを介して接続されたサーバ２とを有する通信システムの概要を示す図である。
【００１９】
サーバ２は、記憶部２１を有する。記憶部２１は、携帯端末１上で再生するためのコンテンツデータを含むデータ本体２２と、データ本体２２を識別するための情報であるデータ識別情報及びサーバ２上でデータ本体２２が保存された場所を示す情報である保存場所情報を有する付加データ２３とを記憶する。
【００２０】
携帯端末１は、端末用通信部１１と、付加データ記憶部１２と、サーバ用通信部１３と、再生表示部１４とを有する。
【００２１】
端末用通信部１１は、付加データを取得している他の通信端末（不図示）と通信を行い、他の通信端末から、付加データ２３を取得する。
【００２２】
付加データ記憶部１２は、端末用通信部１１が取得した付加データ２３を記憶する。サーバ用通信部１３は、サーバにアクセスし、データ本体及び付加データを取得する。また、サーバ用通信部１３は、端末用通信部１１が付加データ１２を取得すると、付加データ１２に基づいてサーバ２にアクセスし、サーバ２からデータ本体２１を取得する。
【００２３】
再生表示部１４は、サーバ２から取得したデータ本体２１がコンテンツデータである場合、これを再生する。
【００２４】
本実施の形態にかかる携帯端末は、付加データを有する他の携帯端末から、当該付加データを取得し、この付加データに基づいてサーバにアクセスして、データ本体を取得するという一連の動作を、ユーザの操作なしに行う。そのため、本実施の形態によれば、情報をより容易に収集することができる。また、携帯端末間で送受信する付加データは、データ本体を取得するために必要な情報のみであり、メモリの消費を抑える通信システムを提供することができる。
【００２５】
本実施の形態にかかる通信システムについて、更に詳細に説明する。図２は、本実施の形態にかかる通信システムの詳細を示す図である。本実施の形態にかかる携帯端末１は、さらに、再生表示部１４がデータ本体２２を再生又は表示した後、当該データ本体２２を消去するデータ管理部１５を有している。
【００２６】
サーバ２の記憶部２１は、データ本体２２及び付加データ２３に加えて、サンプルデータ２４を更に記憶している。サンプルデータ２４については後述する。本実施の形態では、サーバ２は、サーバ用通信部１３から要求された場合に、サーバ用通信部１３にデータ本体２２又はサンプルデータ２４を送信する際、特定のサーバであるサーバ２の識別情報であることを識別するためのサーバ識別情報を付加して送信する。
【００２７】
次に、サーバ２の記憶部２１が記憶している、データ本体２２、付加データ２３及びサンプルデータ２４について更に詳細に説明する。
【００２８】
データ本体２２は、コンテンツデータ、又は携帯端末で使用する各種情報のうち１以上を有する情報である。具体的には、データ本体２２の有するコンテンツデータとは、他者の携帯端末内に保持されている、著作権フリーの音楽データ、画像データ、又はゲームコンテンツなど、端末上で再生する情報を示す。また、各種情報とは、他者の携帯端末内に保持されている、クーポンチケット、セール情報など、端末に表示して利用する情報を示す。
【００２９】
また、データ本体２２は、特定のアプリケーションの情報を更に有し、再生表示部１４がデータ本体の再生又は表示を行った場合、当該アプリケーションの情報に基づき、特定のアプリケーションを起動させる。一例として、データ本体２２がクーポンの情報であり、特定のアプリケーションが地図を表示するものであった場合、データ本体２２が携帯端末１の画面に表示されると、データ本体２２が有する地図の情報を有し、現在地から当該クーポンを使用できる店までの道筋を表示するなどするようにしてもよい。
【００３０】
図３は付加データ２３を示す図である。付加データ２３は、他の携帯端末と端末用通信部１１が通信可能な距離にある場合、携帯端末同士が相互に通信してやりとりされるデータである。付加データ２３は、データ本体２２を特定するための情報である。付加データ２３に関連づけられたデータ本体２３はサーバに保持され、携帯端末が付加データ２３を取得すると、データ本体２２が自動的に携帯端末１にダウンロードされる。具体的には、付加データ２３は、データ本体２２を識別するための情報であるデータ識別情報、及びサーバ２上でデータ本体２２が保存された場所を示す情報である保存場所情報を有する。また、付加データ２３は、データ本体２２のカテゴリーを示す情報であるカテゴリー情報を有するようにしてもよい。本実施の形態では、付加データ２３はデータ本体２２を特定するための情報であり、データ本体２２の自体の情報を含まないために、データの容量が小さく、従って携帯端末１のメモリの消費を抑えることができる。また、サーバ用通信部１３は、付加データ２３が有する、データ本体２２のカテゴリーの情報に基づいて、サーバ２から予めユーザが設定したカテゴリーのデータ本体２２のみ取得するようにしてもよい。
【００３１】
サンプルデータ２４は、データ本体２２の見本となる情報である。本実施の形態では、サンプルデータ２４は、例えばデータ本体２２の取得が有料である場合、又は著作権等がフリーでない場合等、サーバ用通信部１３がサーバ２からデータ本体を自動的に取得できない場合に、代わりにサンプルデータ２４を取得するようにする。具体的には、サンプルデータ２４はデータ本体２２の一部としてもよいし、動画コンテンツの場合には特定の画面の静止画等であってもよい。サーバ２がサンプルデータ２４を有することにより、データ本体２２が有料である場合、著作権等で保護されている場合も、携帯端末１のユーザはデータ本体２２の内容を知ることができ、従って、データ本体２２自体のダウンロードを促進することができる。
【００３２】
次に、図２に戻って、本実施の形態にかかる携帯端末１について更に詳細に説明する。携帯端末１は、アプリケーションを搭載可能な、任意のモバイル通信機器を用いる。携帯端末は、予めユーザの嗜好に合ったデータ本体２２と、付加データ２３とをサーバ２から取得し、保持している。
【００３３】
端末用通信部１１は、通信可能な距離にある他の通信端末を検出し、他の通信端末を検出した場合、通信可能な距離にある他の通信端末から付加データ２３を取得する。本実施の形態において具体的には、端末用通信部１１は近距離通信、例えば赤外線通信、無線ＬＡＮ等の機能を利用して付加データ２３を取得する。これにより、ユーザの携帯端末１の近くにある他の携帯端末から付加データ２３を取得することができる。これにより、例えば端末用通信部１１が通信可能な距離が半径数ｍであった場合、携帯端末１を保持しているユーザの半径数ｍに存在する他の携帯端末を検出し、付加データをやり取りすることができる。従って、この場合例えばユーザが携帯端末１を保持したまま移動すれば、移動先に存在する他の携帯端末を、ユーザの操作なしに検出し、当該検出した他の通信端末と通信して、次々に情報を収集したり、取得したり、共有したりすることができる。従来の技術では、情報を収集するために携帯端末の操作等、何らかの能動的な動作を必要としたが、本実施の形態ではユーザの操作なしに受動的に情報を収集できる。
【００３４】
ここで、付加データ２３の情報の取得元である他の携帯端末のユーザは、街を行き交う人である。そのため、流行の音楽データを取得できる可能性が高い。さらに、すれ違った人から情報を取得できるために、ある程度、連続的にデータを取得し続けることができる。加えて、携帯端末１が取得する情報は、ユーザの身近にいる人又はユーザの行動範囲内にいる人から発信された情報であるため、取得された情報がより鮮明な情報であるとユーザが実感することができ、更に周りとの一体感を感じることができる。ツイッターなどが流行となっている近年においては、周りとの一体感というのは、精神的に大きなメリットといえるものである。
【００３５】
付加データ記憶部１２は、端末用通信部１１が他の携帯端末から取得した付加データ２３を記憶する。
【００３６】
サーバ用通信部１３は、付加データ２３に基づき、サーバ２にアクセスしてデータ本体２２又はサンプルデータ２４のうちどちらかを取得する。また、データ本体２２が取得できる場合であっても、サンプルデータ２４も同時に取得するようにしてもよい。さらに、サーバ用通信部１３は、取得した付加データに対応するデータ本体２２又はサンプルデータ２４のうち、予め定められたカテゴリーのデータ本体２２又はサンプルデータ２４のみ取得するようにしてもよい。これにより、よりユーザの嗜好に合ったデータ本体２２又はサンプルデータ２４を取得することができる。
【００３７】
再生表示部１４は、サーバ２から取得したデータ本体２２又はサンプルデータ２４の再生又は表示を行う。データ本体２２が動画、又は音楽等のコンテンツデータであった場合には、再生表示部１４はコンテンツデータの再生を行い、データ本体がクーポン等の各種情報であった場合には携帯端末１の表示画面（不図示）に表示を行う。
【００３８】
データ管理部１５は、再生表示部１４がデータ２２本体又はサンプルデータ２４を再生又は表示した後、当該再生又は表示されたデータ本体２２又はサンプルデータ２４を消去する。これにより、データ管理部１５は、ユーザの操作なしに自動的に入手されたデータ本体２２を自動的に消去するため、他の端末から取得した付加データ２３に基づいて効率良くデータ本体２２を取得することができ、かつ、取得したデータによりメモリを無駄に消費することがない。よって、他の携帯端末から得た情報を、より容易に共有することができる。
【００３９】
また、ユーザがデータ本体２２を取得し、携帯端末１に保存したい場合には、付加データ２３の有する保存場所情報に基づいて、データ本体２２にアクセスして取得するようにすればよい。この場合には、ユーザからの入力によりデータ本体２２が取得されるため、データ本体２２を携帯端末１から消去する必要はない。従って、自動的に取得されたデータ本体２２またはサンプルデータ２４は消去され、ユーザの操作により取得されたデータ本体２２及びサンプルデータ２４は保持される必要がある。
【００４０】
このような場合、例えば本実施の形態では、データを取得する場合には、データ本体２２またはサンプルデータ２４は特定のサーバ（本実施の形態においてはサーバ２）を経由する。サーバ用通信部１３は、自動的にデータを入手する際は、サーバ２の識別情報を付加したデータ本体２２は付加データ２３を送信するようサーバに指示する。サーバ２は、データ本体２２又はサンプルデータ２４に、特定のサーバを経由したことを示すため、特定のサーバを識別するための識別情報を付加してサーバ用通信部１３に送信する。そして、データ管理部１５は、サーバ２を経由してサーバ用通信部１３に送信された、サーバの識別情報が付加されたデータ本体２２又はサンプルデータ２４のみ、再生表示部が再生した後に消去するようにする。
【００４１】
一方、サーバ用通信部１３は、ユーザ操作によりデータ本体２２又は付加データ２３を取得する際には、データ本体２２又はサンプルデータ２４にサーバ２の識別情報を付加しないようサーバに指示する。データ管理部１５は、サーバの識別情報が付加されていないため、当該データ本体２２又はサンプルデータ２４を、再生表示部が再生した後も消去しない。これにより、ユーザの操作により取得したデータ本体２２またはサンプルデータ２４は消去しないようにすることができる。
【００４２】
また、データ管理部１５は、端末用通信部１１が付加データ２３を取得した後に、取得した付加データ２３と、付加データ記憶部１２に記憶された付加データ２３とを照合する。照合結果をデータ管理部１５から受け取ったサーバ用通信部１３は、当該照合結果が、端末用通信部１１が取得した付加データ２３と同一の付加データ２３が、付加データ記憶部１２に記憶されていた場合は、新たに取得した付加データ２３に対応するデータ２２本体又はサンプルデータ２４を取得しないようにする。これにより、複数回同一の付加データ２３を取得した場合であっても、繰り返してデータ本体２２又はサンプルデータ２４を取得することがない。そのため、サーバ用通信部１３の使用を抑制して消費電力を抑え、メモリの消費の無駄を省くことができる。
【００４３】
さらに、データ管理部１５は、付加データ２３の有するカテゴリー情報に基づき、取得した付加データ２３の音楽データ、動画コンテンツ等のカテゴリーを識別する。なお、音楽や映像といった、情報の種別のみでなく、音楽データならばジャズ、ポップス等、音楽のジャンル等、より細かく識別してカテゴリー情報としてもよい。そして、カテゴリーの識別結果をサーバ用通信部１３に送信する。サーバ用通信部１３は、データ管理部１５から受けとったカテゴリーの情報に基づいて、取得した付加データ２３に関連付けられたデータ本体２２又はサンプルデータ２４を取得する。これにより、よりユーザの嗜好に合ったデータ本体２２及びサンプルデータ２４が取得できる。
【００４４】
なお、本実施の形態ではデータ管理部１５がカテゴリーを識別して、識別されたカテゴリーにそってサーバ用通信部１３がサーバ２からデータ本体２２又はサンプルデータ２４を取得するが、たとえば端末用通信部１１が他の通信端末と付加データ２３のやりとりを行う場合に、予め特定のカテゴリーのデータ本体２２に関連した付加データのみ取得するようにしてもよい。
【００４５】
次に、本実施の形態にかかる通信システムの動作について説明する。本実施の形態では、一例として当該通信システムに関連づけられた携帯端末同士がすれ違った際に、自動的に音楽データを共有し、互いの音楽プレイヤーで自動的に再生する場合について説明する。
【００４６】
図４は本実施の形態にかかる通信システムを説明するための図である。簡略化のため、ユーザ３１とユーザ３２が。それぞれの音楽データ３５及び音楽データ３６を共有する場合について説明する。ここでは、ユーザ３２の視点で、ユーザ３１が保持している音楽データ３５をユーザ３２が取得し、使用する場合を示す。なお、ユーザ３１、３２は、予め、自分の趣味にあったいくつかのデータ本体２２及び付加データ２３を、サーバ用通信部１３を介してサーバから取得しているものとする。
【００４７】
まず、ユーザ３１とユーザ３２がすれ違った際に、ユーザ３１が携帯端末３３に保持している音楽データ３５の付加データ３７を、端末用通信部１１（図２参照）を使用し、無線通信機能を利用してユーザ３２の携帯端末３４が取得する。
【００４８】
次に、携帯端末３４のサーバ用通信部１３（図２参照）は、ネットワークを介してサーバ４０にアクセスする。サーバ４０の記憶部としてのデータベース４１で、付加データ３８に関連づけられた音楽データ４３を抽出し、携帯端末３４に自動的にダウンロードする。ダウンロードされた音楽データ３６は自動的に、再生部としての音楽プレイヤーで再生される。
【００４９】
以上のように、実際に当該システムを使用するシーンでは、付加データを取得して、当該取得した付加データに基づいて音楽データを取得し、そして音楽データを再生するという動作を繰り返すことにより、情報を制限なく取得して、順番に再生する。また、再生後は端末３４内には付加データ３８のみを残し、情報本体である音楽データ３６は削除する。情報本体又はサンプルデータである音楽データを削除することにより、メモリの消費を抑えることができる。これにより、可能な限り情報を取得し使用できるようにする。
【００５０】
今まではユーザ自身が音楽サイトなどに能動的にアクセスし、膨大な量の音楽データから、意図的にダウンロードする音楽データを選択し、取得していたが、本実施の形態によれば、ユーザは音楽データを取り込むことを意識せず、受動的に次々と新しい音楽を聴くことが可能となる。また、情報の取得元は街を行き交う人の携帯端末であるため、流行の音楽データを取得できる可能性が高い。
【００５１】
さらに、音楽データという大カテゴリーの中に、さらにジャンルや曲の雰囲気を中カテゴリーとして持つことで、自動的にどのような音楽をダウンロードするか設定するようにしてもよい。
【００５２】
また、サーバ上に保持する情報は、プロバイダーが提供する以外に、システムの使用を契約しているユーザ個人がアップロードすることを可能にするようにしてもよい。
【００５３】
さらに、サーバ上に保持する情報は、自動的に配信するには法的に問題がないか、例えばワードの検索、画像認識技術、及び音声認識技術等を利用して、内容のチェックを行うようにしてもよい。
【００５４】
また、付加情報又はデータ本体の自動的取得及び自動的提供の可否は、それぞれ個別に設定するようにしてもよい。
【００５５】
なお、本発明は上記実施の形態に限られたものではなく、趣旨を逸脱しない範囲で適宜変更することが可能である。
【００５６】
（付記１）
携帯端末と、
前記携帯端末にネットワークを介して接続されたサーバとを有する通信システムであって、
前記サーバは、前記携帯端末上で再生するためのコンテンツデータを含むデータ本体と、前記データ本体を識別するための情報であるデータ識別情報及び前記サーバ上で前記データ本体が保存された場所を示す情報である保存場所情報を有する付加データとを記憶する記憶部を有し、
前記携帯端末は、
前記サーバにアクセスし、前記データ本体及び前記付加データとを取得するサーバ用通信部と、
前記付加データを記憶する付加データ記憶部と、
コンテンツデータを再生する再生表示部と、
前記付加データを取得している他の通信端末と通信を行い、当該他の通信端末から前記付加データを取得する端末用通信部とを有し、
前記サーバ用通信部は、前記端末用通信部が前記他の端末からの前記付加データを取得すると、前記付加データに基づいて前記サーバにアクセスし、前記サーバから前記データ本体を取得し、
前記再生表示部は、前記サーバから取得した前記データ本体がコンテンツデータである場合、これを再生する通信システム。（付記２）
前記データ本体は、前記コンテンツデータに加えて、又は前記コンテンツデータに替えて携帯端末で使用する各種情報を有し、
前記付加データは、前記データ本体を識別するための情報であるデータ識別情報及び前記サーバ上で前記データ本体が保存された場所を示す情報である保存場所情報を有し、
前記表示再生部は、前記データ本体の再生又は表示を行う付記１記載の通信システム。
（付記３）
データ管理部を更に有し、
前記データ管理部は、前記再生表示部が前記端末用通信部を介して取得した付加データに基づき取得した前記データ本体を再生又は表示した後、当該データ本体を消去する付記２記載の通信システム。
（付記４）
前記サーバは、さらに前記データ本体の見本となるサンプルデータを記憶し、
前記付加データは、前記データ本体及び前記サンプルデータを識別するための前記データ識別情報及びサーバ上で保存された場所を示す前記保存場所情報を有し、
前記サーバ用通信部は、前記付加データに基づき、前記データ本体又は前記サンプルデータのうち１以上を取得し、
前記再生表示部は、前記サーバから取得した前記データ本体又は前記サンプルデータの再生又は表示を行い、
前記データ管理部は、前記再生表示部が前記端末用通信部を介して取得した付加データに基づき取得した前記データ本体又は前記サンプルデータを再生又は表示した後、当該再生又は表示された前記データ本体又は前記サンプルデータを消去する付記２又は３記載の通信システム。
（付記５）
前記端末用通信部が前記付加データを取得した後に、前記データ管理部は、取得した付加データと、前記付加データ記憶部に記憶された前記付加データとを照合し、前記端末用通信部が取得した付加データと同一の前記付加データが前記付加データ記憶部に記憶されていた場合、
前記サーバ用通信部は、新たに取得した付加データに対応する前記データ本体又は前記サンプルデータを取得しない付記４記載の通信システム。
（付記６）
前記付加データは、前記データ本体又は前記サンプルデータを識別するための情報である前記データ識別情報と、前記サーバ上で前記データ本体又は前記サンプルデータが保存された場所を示す前記保存場所情報と、前記データ本体又は前記サンプルデータのカテゴリーを示す情報であるカテゴリー情報とを有する付記４又は５記載の通信システム。
（付記７）
前記データ管理部は、前記カテゴリー情報に基づき、取得した前記付加データのカテゴリーを識別し、
前記サーバ用通信部は、取得した前記付加データに対応する前記データ本体又はサンプルデータのうち、予め定められたカテゴリーの前記データ本体又は前記サンプルデータのみ取得する付記６記載の通信システム。
（付記８）
前記サーバは、前記サーバ用通信部に前記データ本体又は前記サンプルデータを送信する際、特定のサーバを識別するためのサーバ識別情報を付加し、
前記データ管理部は、前記サーバ識別情報が付加された前記データ本体又は前記サンプルデータのみ、前記再生表示部が再生した後に消去する付記４乃至７記載の通信システム。
（付記９）
前記端末用通信部は、通信可能な距離にある他の前記通信端末を検出し、前記他の通信端末を検出した場合、通信可能な距離にある他の前記通信端末から前記付加データを取得する付記１乃至８記載の通信システム。
（付記１０）
前記データ本体又は前記サンプルデータは、特定のアプリケーションの情報を更に有し、
前記再生表示部が前記データ本体又はサンプルデータの再生又は表示を行った場合、前記アプリケーションの情報に基づき前記特定のアプリケーションを起動させる付記４乃至９記載の通信システム。
（付記１１）
携帯端末と、
前記携帯端末にネットワークを介して接続されたサーバとを有する通信システムの通信方法であって、
前記サーバは、前記携帯端末上で再生するためのコンテンツデータを含むデータ本体と、前記データ本体を識別するための情報であるデータ識別情報及び前記サーバ上で前記データ本体が保存された場所を示す情報である保存場所情報を有する付加データと記憶し、
前記携帯端末は、前記サーバから前記付加データ及びデータ本体を取得可能であって、
前記付加データを取得している他の通信端末と通信を行い、当該他の通信端末から、前記付加データを取得し、
当該取得した付加データに基づいて前記サーバにアクセスし、前記サーバから前記データ本体を取得し、
前記サーバから取得した前記データ本体がコンテンツデータである場合、これを再生する通信方法。
（付記１２）
前記データ本体は、前記コンテンツデータに加えて、又は前記コンテンツデータに替えて携帯端末で使用する各種情報を有し、
前記付加データは、前記データ本体を識別するための情報であるデータ識別情報及び前記サーバ上で前記データ本体が保存された場所を示す情報である保存場所情報を有し、
前記データ本体を取得した際は、前記データ本体の再生又は表示を行う付記１１記載の通信方法。
（付記１３）
前記他の携帯端末から取得した付加データに基づき取得した前記データ本体を再生又は表示した後、当該データ本体を消去する付記１２記載の通信方法。
（付記１４）
前記サーバは、さらに前記データ本体の見本となるサンプルデータを記憶し、
前記付加データは、前記データ本体及び前記サンプルデータを識別するための前記データ識別情報及びサーバ上で保存された場所を示す前記保存場所情報を有し、
前記本体データを取得する際には、前記付加データに基づき、前記データ本体又は前記サンプルデータのうち１以上を取得し、
前記本体データを再生又は表示する際は、前記サーバから取得した前記データ本体又は前記サンプルデータの再生又は表示を行い、
前記他の携帯端末から取得した付加データに基づき取得した前記本体データ又は前記サンプルデータを再生又は表示した後、当該再生又は表示された前記データ本体又は前記サンプルデータを消去する付記１２又は１３記載の通信方法。
（付記１５）
前記付加データを取得した後に、前記取得した付加データと、前記付加データ記憶部に記憶された前記付加データとを照合し、前記取得した付加データと同一の前記付加データが前記付加データ記憶部に記憶されていた場合、
新たに取得した付加データに対応する前記データ本体又は前記サンプルデータを取得しない付記１４記載の通信方法。
（付記１６）
サーバにアクセスし、携帯端末上で再生するためのコンテンツデータを含むデータ本体及び前記データ本体を識別するための情報である付加データとを取得するサーバ用通信部と、
前記付加データを記憶する付加データ記憶部と、
前記サーバから取得した前記データ本体がコンテンツデータである場合、これを再生する再生表示部と、
他の通信端末と通信を行い、他の通信端末から、前記付加データを取得する端末用通信部とを有し、
前記付加データ記憶部は、前記端末用通信部が取得した前記付加データを記憶し、
前記サーバ用通信部は、前記端末用通信部が前記付加データを取得すると、前記付加データに基づいて前記サーバにアクセスし、前記サーバから前記データ本体を取得する携帯端末。
（付記１７）
前記データ本体は、前記コンテンツデータに加えて、又は前記コンテンツデータに替えて携帯端末で使用する各種情報を有し、
前記付加データは、前記データ本体を識別するための情報であるデータ識別情報及び前記サーバ上で前記データ本体が保存された場所を示す情報である保存場所情報を有し、
前記表示再生部は、前記データ本体の再生又は表示を行う付記１６記載の携帯端末。
（付記１８）
データ管理部を更に有し、
前記データ管理部は、前記再生表示部が前記端末用通信部を介して取得した付加データに基づき取得した前記データ本体を再生又は表示した後、当該データ本体を消去する付記１７記載の携帯端末。
（付記１９）
前記付加データは、前記データ本体及び前記サンプルデータを識別するための前記データ識別情報及びサーバ上で保存された場所を示す前記保存場所情報を有し、
前記付加データに基づき、前記データ本体、又はサーバが有する前記データ本体の見本となるサンプルデータから１以上を取得し、
前記再生表示部は、前記サーバから取得した前記データ本体又は前記サンプルデータの再生又は表示を行い、
前記データ管理部は、前記再生表示部が前記端末用通信部を介して取得した付加データに基づき取得した前記データ本体又は前記サンプルデータを再生又は表示した後、当該再生又は表示された前記データ本体又は前記サンプルデータを消去する付記１７又は１８記載の携帯端末。
（付記２０）
前記端末用通信部が前記付加データを取得した後に、前記データ管理部は、取得した付加データと、前記付加データ記憶部に記憶された前記付加データとを照合し、前記端末用通信部が取得した付加データと同一の前記付加データが前記付加データ記憶部に記憶されていた場合、
前記サーバ用通信部は、新たに取得した付加データに対応する前記データ本体又は前記サンプルデータを取得しない付記１９記載の携帯端末。
【符号の説明】
【００５７】
１  携帯端末
２  サーバ
１１  端末用通信部
１２  付加データ記憶部
１３  サーバ用通信部
１４  再生表示部
１５  データ管理部
２１  記憶部
２２  データ本体
２３  付加データ
２４  サンプルデータ
３１  ユーザ
３２  ユーザ
３３  携帯端末
３４  携帯端末
３５  音楽データ
３６  音楽データ
３７  付加データ
３８  付加データ
４０  サーバ
４１  データベース
４２  付加データ
４３  音楽データ
【図１】
2012093823.tif 000003
【図２】
2012093823.tif 000004
【図３】
2012093823.tif 000005
【図４】
2012093823.tif 000006